(57)【要約】【課題】アッパースプレッド方式、ダウンスプレッド方式、センタースプレッド方式の全てのスプレッド方式による変調クロック信号の発生を可能にする。【解決手段】スペクトラム拡散クロック発生器２は、ダウンスプレッド方式から擬似的なセンタースプレッド方式、ダウンスプレッド方式から擬似的なアッパースプレッド方式、センタースプレッド方式から擬似的なアッパースプレッド方式の何れかでスペクトラム拡散クロック信号を発生する場合に所定のキャリア周波数よりも低い周波数側にキャリア周波数をずらす第１の制御と、センタースプレッド方式から擬似的なダウンスプレッド方式、アッパースプレッド方式から擬似的なダウンスプレッド方式、アッパースプレッド方式から擬似的なセンタースプレッド方式の何れかでスペクトラム拡散クロック信号を発生する場合に所定のキャリア周波数よりも高い周波数側にキャリア周波数をずらす第２の制御の少なくとも一方を行なう。【選択図】図１
2018156647.tif 000002
【特許請求の範囲】
【請求項１】
通信規格で定められるスペクトラム拡散クロック（ＳＳＣ：Ｓｐｒｅａｄ  Ｓｐｅｃｔｒｕｍ  Ｃｌｏｃｋ）を所望のスプレッド方式で発生するために、制御部（１３）の制御により所定のキャリア周波数のスペクトラムを拡散して信号のスペクトラム拡散クロック信号を発生するスペクトラム拡散クロック発生器（２）において、
前記制御部は、キャリア周波数補正制御手段（１３ｂ）を備え、
前記キャリア周波数補正制御手段は、前記所定のキャリア周波数をずらすことによって、一つのスプレッド方式から擬似的な他のスプレッド方式のスペクトラム拡散クロック信号を発生することを特徴とするスペクトラム拡散クロック発生器。
【請求項２】
前記所望のスプレッド方式は、ダウンスプレッド方式、センタースプレッド方式およびアッパースプレッド方式のいずれか一つのスプレッド方式であって、
前記キャリア周波数補正制御手段（１３ｂ）は、前記ダウンスプレッド方式から擬似的なセンタースプレッド方式、前記ダウンスプレッド方式から擬似的なアッパースプレッド方式、前記センタースプレッド方式から擬似的なアッパースプレッド方式の何れかで前記スペクトラム拡散クロック信号を発生する場合は、前記所定のキャリア周波数よりも低い周波数側にキャリア周波数をずらす第１の制御と、前記センタースプレッド方式から擬似的なダウンスプレッド方式、前記アッパースプレッド方式から擬似的なダウンスプレッド方式、前記アッパースプレッド方式から擬似的なセンタースプレッド方式の何れかで前記スペクトラム拡散クロック信号を発生する場合は、前記所定のキャリア周波数よりも高い周波数側にキャリア周波数をずらす第２の制御の少なくとも一方を行なうことを特徴とする請求項１記載のスペクトラム拡散クロック発生器。
【請求項３】
前記制御部（１３）は、変調度補正制御手段（１３ｃ）を備え、
前記変調度補正制御手段は、前記ダウンスプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記ダウンスプレッド方式のキャリア周波数をＦｄｏｗｎ、変調度をＳＳＣｄｏｗｎとしたとき、Ｆｄｏｗｎ＝Ｆｃｅｎｔｅｒ×（１＋ＳＳＣｃｅｎｔｅｒ）の計算式を用いて前記ダウンスプレッド方式のキャリア周波数をずらすとともに、ＳＳＣｄｏｗｎ＝２×ＳＳＣｃｅｎｔｅｒ／（１＋ＳＳＣｃｅｎｔｅｒ）の計算式を用いて前記ダウンスプレッド方式の変調度を補正することを特徴とする請求項２記載のスペクトラム拡散クロック発生器。
【請求項４】
前記制御部（１３）は、変調度補正制御手段（１３ｃ）を備え、
前記変調度補正制御手段は、前記ダウンスプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記ダウンスプレッド方式のキャリア周波数をＦｄｏｗｎ、変調度をＳＳＣｄｏｗｎとしたとき、Ｆｄｏｗｎ＝Ｆｕｐ×（１＋ＳＳＣｕｐ）の計算式を用いて前記ダウンスプレッド方式のキャリア周波数をずらすとともに、ＳＳＣｄｏｗｎ＝ＳＳＣｕｐ／（１＋ＳＳＣｕｐ）の計算式を用いて前記ダウンスプレッド方式の変調度を補正することを特徴とする請求項２記載のスペクトラム拡散クロック発生器。
【請求項５】
前記制御部（１３）は、変調度補正制御手段（１３ｃ）を備え、
前記変調度補正制御手段は、前記センタースプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｕｐ×（１＋（ＳＳＣｕｐ／２））の計算式を用いて前記センタースプレッド方式のキャリア周波数をずらすとともに、ＳＳＣｃｅｎｔｅｒ＝ＳＳＣｕｐ／（２＋ＳＳＣｕｐ）の計算式を用いて前記センタースプレッド方式の変調度を補正することを特徴とする請求項２記載のスペクトラム拡散クロック発生器。
【請求項６】
前記制御部（１３）は、変調度補正制御手段（１３ｃ）を備え、
前記変調度補正制御手段は、前記センタースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｄｏｗｎ×（１−（ＳＳＣｄｏｗｎ／２））の計算式を用いて前記センタースプレッド方式のキャリア周波数をずらすとともに、ＳＳＣｃｅｎｔｅｒ＝ＳＳＣｄｏｗｎ／（２−ＳＳＣｄｏｗｎ）の計算式を用いて前記センタースプレッド方式の変調度を補正することを特徴とする請求項２記載のスペクトラム拡散クロック発生器。
【請求項７】
前記制御部（１３）は、変調度補正制御手段（１３ｃ）を備え、
前記変調度補正制御手段は、前記アッパースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記アッパースプレッド方式のキャリア周波数をＦｕｐ、変調度をＳＳＣｕｐとしたとき、Ｆｕｐ＝Ｆｄｏｗｎ×（１−ＳＳＣｄｏｗｎ）の計算式を用いて前記アッパースプレッド方式のキャリア周波数をずらすとともに、ＳＳＣｕｐ＝ＳＳＣｄｏｗｎ／（１−ＳＳＣｄｏｗｎ）の計算式を用いて前記アッパースプレッド方式の変調度を補正することを特徴とする請求項２記載のスペクトラム拡散クロック発生器。
【請求項８】
前記制御部（１３）は、変調度補正制御手段（１３ｃ）を備え、
前記変調度補正制御手段は、前記アッパースプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記アッパースプレッド方式のキャリア周波数をＦｕｐ、変調度をＳＳＣｕｐとしたとき、Ｆｕｐ＝Ｆｃｅｎｔｅｒ×（１−ＳＳＣｃｅｎｔｅｒ）の計算式を用いて前記アッパースプレッド方式のキャリア周波数をずらすとともに、ＳＳＣｕｐ＝２×ＳＳＣｃｅｎｔｅｒ／（１−ＳＳＣｃｅｎｔｅｒ）の計算式を用いて前記アッパースプレッド方式の変調度を補正することを特徴とする請求項２記載のスペクトラム拡散クロック発生器。
【請求項９】
通信規格で定められるスペクトラム拡散クロック（ＳＳＣ：Ｓｐｒｅａｄ  Ｓｐｅｃｔｒｕｍ  Ｃｌｏｃｋ）を所望のスプレッド方式で発生するために、所定のキャリア周波数の信号のスペクトラムを拡散してスペクトラム拡散クロック信号を発生するスペクトラム拡散クロック発生方法において、
前記所定のキャリア周波数をずらすことによって、一つのスプレッド方式から擬似的な他のスプレッド方式のスペクトラム拡散クロック信号を発生することを特徴とするスペクトラム拡散クロック発生方法。
【請求項１０】
前記所望のスプレッド方式は、ダウンスプレッド方式、センタースプレッド方式およびアッパースプレッド方式のいずれか一つのスプレッド方式であって、
前記ダウンスプレッド方式から擬似的なセンタースプレッド方式、前記ダウンスプレッド方式から擬似的なアッパースプレッド方式、前記センタースプレッド方式から擬似的なアッパースプレッド方式の何れかで前記スペクトラム拡散クロック信号を発生する場合は、前記所定のキャリア周波数よりも低い周波数側にキャリア周波数をずらす第１の制御ステップと、
前記センタースプレッド方式から擬似的なダウンスプレッド方式、前記アッパースプレッド方式から擬似的なダウンスプレッド方式、前記アッパースプレッド方式から擬似的なセンタースプレッド方式の何れかで前記スペクトラム拡散クロック信号を発生する場合は、前記所定のキャリア周波数よりも高い周波数側にキャリア周波数をずらす第２の制御ステップとを含み、前記第１の制御ステップと前記第２の制御ステップの少なくとも一方を行なうことを特徴とする請求項９記載のスペクトラム拡散クロック発生方法。
【請求項１１】
前記ダウンスプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記ダウンスプレッド方式のキャリア周波数をＦｄｏｗｎ、変調度をＳＳＣｄｏｗｎとしたとき、Ｆｄｏｗｎ＝Ｆｃｅｎｔｅｒ×（１＋ＳＳＣｃｅｎｔｅｒ）の計算式を用いて前記ダウンスプレッド方式のキャリア周波数をずらすとともに、ＳＳＣｄｏｗｎ＝２×ＳＳＣｃｅｎｔｅｒ／（１＋ＳＳＣｃｅｎｔｅｒ）の計算式を用いて前記ダウンスプレッド方式の変調度を補正するステップを含むことを特徴とする請求項１０記載のスペクトラム拡散クロック発生方法。
【請求項１２】
前記ダウンスプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記ダウンスプレッド方式のキャリア周波数をＦｄｏｗｎ、変調度をＳＳＣｄｏｗｎとしたとき、Ｆｄｏｗｎ＝Ｆｕｐ×（１＋ＳＳＣｕｐ）の計算式を用いて前記ダウンスプレッド方式のキャリア周波数をずらすとともに、ＳＳＣｄｏｗｎ＝ＳＳＣｕｐ／（１＋ＳＳＣｕｐ）の計算式を用いて前記ダウンスプレッド方式の変調度を補正するステップを含むことを特徴とする請求項１０記載のスペクトラム拡散クロック発生方法。
【請求項１３】
前記センタースプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｕｐ×（１＋（ＳＳＣｕｐ／２））の計算式を用いて前記センタースプレッド方式のキャリア周波数をずらすとともに、ＳＳＣｃｅｎｔｅｒ＝ＳＳＣｕｐ／（２＋ＳＳＣｕｐ）の計算式を用いて前記センタースプレッド方式の変調度を補正するステップを含むことを特徴とする請求項１０記載のスペクトラム拡散クロック発生方法。
【請求項１４】
前記センタースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｄｏｗｎ×（１−（ＳＳＣｄｏｗｎ／２））の計算式を用いて前記センタースプレッド方式のキャリア周波数をずらすとともに、ＳＳＣｃｅｎｔｅｒ＝ＳＳＣｄｏｗｎ／（２−ＳＳＣｄｏｗｎ）の計算式を用いて前記センタースプレッド方式の変調度を補正するステップを含むことを特徴とする請求項１０記載のスペクトラム拡散クロック発生方法。
【請求項１５】
前記アッパースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記アッパースプレッド方式のキャリア周波数をＦｕｐ、変調度をＳＳＣｕｐとしたとき、Ｆｕｐ＝Ｆｄｏｗｎ×（１−ＳＳＣｄｏｗｎ）の計算式を用いて前記アッパースプレッド方式のキャリア周波数をずらすとともに、ＳＳＣｕｐ＝ＳＳＣｄｏｗｎ／（１−ＳＳＣｄｏｗｎ）の計算式を用いて前記アッパースプレッド方式の変調度を補正するステップを含むことを特徴とする請求項１０記載のスペクトラム拡散クロック発生方法。
【請求項１６】
前記アッパースプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記アッパースプレッド方式のキャリア周波数をＦｕｐ、変調度をＳＳＣｕｐとしたとき、Ｆｕｐ＝Ｆｃｅｎｔｅｒ×（１−ＳＳＣｃｅｎｔｅｒ）の計算式を用いて前記アッパースプレッド方式のキャリア周波数をずらすとともに、ＳＳＣｕｐ＝２×ＳＳＣｃｅｎｔｅｒ／（１−ＳＳＣｃｅｎｔｅｒ）の計算式を用いて前記アッパースプレッド方式の変調度を補正するステップを含むことを特徴とする請求項１０記載のスペクトラム拡散クロック発生方法。
【請求項１７】
請求項１〜請求項８の何れかのスペクトラム拡散クロック発生器（２）が発生する変調クロック信号を用いてパターン信号を発生することを特徴とするパターン発生器。
【請求項１８】
請求項９〜請求項１６のスペクトラム拡散クロック発生方法により発生した変調クロック信号を用いてパターン信号を発生するステップを含むことを特徴とするパターン発生方法。
【発明の詳細な説明】
【技術分野】
【０００１】
本発明は、基準クロック信号のスペクトラムを拡散してスペクラム拡散クロック信号を発生するスペクトラム拡散クロック発生器及びスペクトラム拡散クロック発生方法と、スペクラム拡散クロック信号とデータを用いて所望のパターン信号を発生するパターン発生器及びパターン発生方法に関する。
【背景技術】
【０００２】
近年、コンピュータのバス等では、電磁両立性（ＥＭＣ：Electro-Magnetic Compatibility）対策として、基準クロック信号のスペクトラムを拡散してスペクラム拡散クロック信号を発生するスペクトラム拡散クロック（ＳＳＣ：Spread Spectrum Clock ）を採用している規格が増えてきている。例えばコンピュータ等の情報機器に周辺機器を接続するためのシリアスバス規格の一つであるユニバーサル・シリアル・バス（ＵＳＢ）３．０では、ダウンスプレッド方式がスプレッド方式として採用される。また、例えばＩ／Ｏシリアルインタフェースのピーシーアイエクスプレス（ＰＣＩ  Ｅｘｐｒｅｓｓ）３．０（Ｇｅｎ３）では、センタースプレッド方式がスプレッド方式として採用される。
【０００３】
しかしながら、アッパースプレッド方式をスプレッド方式として採用している規格は無い。その理由としては、ダウンスプレッド方式とセンタースプレッド方式は平均ビットレートが規格値をオーバーする事はないが、アッパースプレッド方式はピークおよび平均ビットレートがより高くなり、デバイスの動作余裕が少なくなってしまう問題があった。この問題を解決するためには、デバイスを高ビットレートまで対応した物にして動作余裕を増やす必要がある。しかし、このためには高い技術要求やコストアップ等のデメリットがあり、アッパースプレッド方式はほとんど採用されていなかった。
【０００４】
ところで、近年における各種ディジタル通信装置は、利用者数の増加やマルチメディア通信の普及に伴い、より大容量の伝送能力が求められており、これらのディジタル通信装置におけるディジタル信号の品質評価の指標の一つとして、受信データのうち符号誤りが発生した数と受信データの総数との比較として定義されるビット誤り率（以下、誤り率と略称する）が知られている。
【０００５】
そして、所望のディジタル通信装置を被測定物とし、この被測定物の誤り率を測定する場合には、例えば、下記特許文献１に開示されるビット誤り率測定器が用いられる。この種のビット誤り率測定器では、被測定物が電気的なストレスをどの程度許容できるかを測定するため、パターン発生器から既知パターンの電気的ストレス信号をテスト信号として印可し、このテスト信号を被測定物内部又は外部でループバックし、エラー検出器で受信してテスト信号との比較により、ストレスの印加量に対してエラーの有無を測定するジッタ耐力測定を行っている。
【０００６】
しかしながら、この種のビット誤り率測定器では、被測定物のマージンテストを行なう際に、スペクトラム拡散されたスペクラム拡散クロック信号やデータ信号を発生させて被測定物に入力させる必要がある。そのため、アッパースプレッド方式、ダウンスプレッド方式、センタースプレッド方式の全てのスプレッド方式でスペクラム拡散クロック信号を発生することができるスペクトラム拡散クロック発生器やパターン発生器が要求されている。
【先行技術文献】
【特許文献】
【０００７】
【特許文献１】特開２００７−２７４４７４号公報
【発明の概要】
【発明が解決しようとする課題】
【０００８】
ところが、現在市販されているスペクラム拡散クロック信号を発生するワンチップＰＬＬ（phase locked loop ）ＩＣは、アッパースプレッド方式の要求がほとんど無いため、アッパースプレッド方式に対応したものを入手する事が極めて困難であり、コストアップ等のデメリットがあった。その結果、上述したビット誤り率測定器などの測定器に要求されるアッパースプレッド方式によるスペクラム拡散クロック信号を市販のワンチップＰＬＬＩＣを用いて容易に発生することができないという問題があった。従って、アッパースプレッド方式、ダウンスプレッド方式、センタースプレッド方式の全てのスプレッド方式でスペクラム拡散クロック信号を発生することができず、スペクトラム拡散クロック発生器やパターン発生器の要求を満足することができなかった。
【０００９】
そこで、本発明は上記問題点に鑑みてなされたものであって、アッパースプレッド方式、ダウンスプレッド方式、センタースプレッド方式の全てのスプレッド方式によるスペクラム拡散クロック信号の発生が可能なスペクトラム拡散クロック発生器及びスペクトラム拡散クロック発生方法と、発生したスペクラム拡散クロック信号を用いてパターン信号を発生することができるパターン発生器及びパターン発生方法を提供することを目的としている。
【課題を解決するための手段】
【００１０】
上記目的を達成するため、本発明の請求項１に記載されたスペクトラム拡散クロック発生器は、通信規格で定められるスペクトラム拡散クロック（ＳＳＣ：Ｓｐｒｅａｄ  Ｓｐｅｃｔｒｕｍ  Ｃｌｏｃｋ）を所望のスプレッド方式で発生するために、制御部１３の制御により所定のキャリア周波数の信号のスペクトラムを拡散してスペクトラム拡散クロック信号を発生するスペクトラム拡散クロック発生器２において、
前記制御部は、キャリア周波数補正制御手段１３ｂを備え、
前記キャリア周波数補正制御手段は、前記所定のキャリア周波数をずらすことによって、一つのスプレッド方式から擬似的な他のスプレッド方式のスペクトラム拡散クロック信号を発生することを特徴とする。
【００１１】
請求項２に記載されたスペクトラム拡散クロック発生器は、請求項１のスペクトラム拡散クロック発生器２において、
前記所望のスプレッド方式は、ダウンスプレッド方式、センタースプレッド方式およびアッパースプレッド方式のいずれか一つのスプレッド方式であって、
前記キャリア周波数補正制御手段１３ｂは、前記ダウンスプレッド方式から擬似的なセンタースプレッド方式、前記ダウンスプレッド方式から擬似的なアッパースプレッド方式、前記センタースプレッド方式から擬似的なアッパースプレッド方式の何れかで前記スペクトラム拡散クロック信号を発生する場合は、前記所定のキャリア周波数よりも低い周波数側にキャリア周波数をずらす第１の制御と、前記センタースプレッド方式から擬似的なダウンスプレッド方式、前記アッパースプレッド方式から擬似的なダウンスプレッド方式、前記アッパースプレッド方式から擬似的なセンタースプレッド方式の何れかで前記スペクトラム拡散クロック信号を発生する場合は、前記所定のキャリア周波数よりも高い周波数側にキャリア周波数をずらす第２の制御の少なくとも一方を行なうことを特徴とする。
【００１２】
請求項３に記載されたスペクトラム拡散クロック発生器は、請求項２のスペクトラム拡散クロック発生器２において、
前記制御部１３は、変調度補正制御手段１３ｃを備え、
前記変調度補正制御手段は、前記ダウンスプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記ダウンスプレッド方式のキャリア周波数をＦｄｏｗｎ、変調度をＳＳＣｄｏｗｎとしたとき、Ｆｄｏｗｎ＝Ｆｃｅｎｔｅｒ×（１＋ＳＳＣｃｅｎｔｅｒ）の計算式を用いて前記ダウンスプレッド方式のキャリア周波数をずらすとともに、ＳＳＣｄｏｗｎ＝２×ＳＳＣｃｅｎｔｅｒ／（１＋ＳＳＣｃｅｎｔｅｒ）の計算式を用いて前記ダウンスプレッド方式の変調度を補正することを特徴とする。
【００１３】
請求項４に記載されたスペクトラム拡散クロック発生器は、請求項２のスペクトラム拡散クロック発生器２において、
前記制御部１３は、変調度補正制御手段１３ｃを備え、
前記変調度補正制御手段は、前記ダウンスプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記ダウンスプレッド方式のキャリア周波数をＦｄｏｗｎ、変調度をＳＳＣｄｏｗｎとしたとき、Ｆｄｏｗｎ＝Ｆｕｐ×（１＋ＳＳＣｕｐ）の計算式を用いて前記ダウンスプレッド方式のキャリア周波数をずらすとともに、ＳＳＣｄｏｗｎ＝ＳＳＣｕｐ／（１＋ＳＳＣｕｐ）の計算式を用いて前記ダウンスプレッド方式の変調度を補正することを特徴とする。
【００１４】
請求項５に記載されたスペクトラム拡散クロック発生器は、請求項２のスペクトラム拡散クロック発生器２において、
前記制御部１３は、変調度補正制御手段１３ｃを備え、
前記変調度補正制御手段は、前記センタースプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｕｐ×（１＋（ＳＳＣｕｐ／２））の計算式を用いて前記センタースプレッド方式のキャリア周波数をずらすとともに、ＳＳＣｃｅｎｔｅｒ＝ＳＳＣｕｐ／（２＋ＳＳＣｕｐ）の計算式を用いて前記センタースプレッド方式の変調度を補正することを特徴とする。
【００１５】
請求項６に記載されたスペクトラム拡散クロック発生器は、請求項２のスペクトラム拡散クロック発生器２において、
前記制御部１３は、変調度補正制御手段１３ｃを備え、
前記変調度補正制御手段は、前記センタースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｄｏｗｎ×（１−（ＳＳＣｄｏｗｎ／２））の計算式を用いて前記センタースプレッド方式のキャリア周波数をずらすとともに、ＳＳＣｃｅｎｔｅｒ＝ＳＳＣｄｏｗｎ／（２−ＳＳＣｄｏｗｎ）の計算式を用いて前記センタースプレッド方式の変調度を補正することを特徴とする。
【００１６】
請求項７に記載されたスペクトラム拡散クロック発生器は、請求項２のスペクトラム拡散クロック発生器２において、
前記制御部１３は、変調度補正制御手段１３ｃを備え、
前記変調度補正制御手段は、前記アッパースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記アッパースプレッド方式のキャリア周波数をＦｕｐ、変調度をＳＳＣｕｐとしたとき、Ｆｕｐ＝Ｆｄｏｗｎ×（１−ＳＳＣｄｏｗｎ）の計算式を用いて前記アッパースプレッド方式のキャリア周波数をずらすとともに、ＳＳＣｕｐ＝ＳＳＣｄｏｗｎ／（１−ＳＳＣｄｏｗｎ）の計算式を用いて前記アッパースプレッド方式の変調度を補正することを特徴とする。
【００１７】
請求項８に記載されたスペクトラム拡散クロック発生器は、請求項２のスペクトラム拡散クロック発生器２において、
前記制御部１３は、変調度補正制御手段１３ｃを備え、
前記変調度補正制御手段は、前記アッパースプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記アッパースプレッド方式のキャリア周波数をＦｕｐ、変調度をＳＳＣｕｐとしたとき、Ｆｕｐ＝Ｆｃｅｎｔｅｒ×（１−ＳＳＣｃｅｎｔｅｒ）の計算式を用いて前記アッパースプレッド方式のキャリア周波数をずらすとともに、ＳＳＣｕｐ＝２×ＳＳＣｃｅｎｔｅｒ／（１−ＳＳＣｃｅｎｔｅｒ）の計算式を用いて前記アッパースプレッド方式の変調度を補正することを特徴とする。
【００１８】
請求項９に記載されたスペクトラム拡散クロック発生方法は、通信規格で定められるスペクトラム拡散クロック（ＳＳＣ：Ｓｐｒｅａｄ  Ｓｐｅｃｔｒｕｍ  Ｃｌｏｃｋ）を所望のスプレッド方式で発生するために、所定のキャリア周波数の信号のスペクトラムを拡散してスペクトラム拡散クロック信号を発生するスペクトラム拡散クロック発生方法において、
前記所定のキャリア周波数をずらすことによって、一つのスプレッド方式から擬似的な他のスプレッド方式のスペクトラム拡散クロック信号を発生することを特徴とする。
【００１９】
請求項１０に記載されたスペクトラム拡散クロック発生方法は、請求項９のスペクトラム拡散クロック発生方法において、
前記所望のスプレッド方式は、ダウンスプレッド方式、センタースプレッド方式およびアッパースプレッド方式のいずれか一つのスプレッド方式であって、
前記ダウンスプレッド方式から擬似的なセンタースプレッド方式、前記ダウンスプレッド方式から擬似的なアッパースプレッド方式、前記センタースプレッド方式から擬似的なアッパースプレッド方式の何れかで前記スペクトラム拡散クロック信号を発生する場合は、前記所定のキャリア周波数よりも低い周波数側にキャリア周波数をずらす第１の制御ステップと、
前記センタースプレッド方式から擬似的なダウンスプレッド方式、前記アッパースプレッド方式から擬似的なダウンスプレッド方式、前記アッパースプレッド方式から擬似的なセンタースプレッド方式の何れかで前記スペクトラム拡散クロック信号を発生する場合は、前記所定のキャリア周波数よりも高い周波数側にキャリア周波数をずらす第２の制御ステップとを含み、前記第１の制御ステップと前記第２の制御ステップの少なくとも一方を行なうことを特徴とする。
【００２０】
請求項１１に記載されたスペクトラム拡散クロック発生方法は、請求項１０のスペクトラム拡散クロック発生方法において、
前記ダウンスプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記ダウンスプレッド方式のキャリア周波数をＦｄｏｗｎ、変調度をＳＳＣｄｏｗｎとしたとき、Ｆｄｏｗｎ＝Ｆｃｅｎｔｅｒ×（１＋ＳＳＣｃｅｎｔｅｒ）の計算式を用いて前記ダウンスプレッド方式のキャリア周波数をずらすとともに、ＳＳＣｄｏｗｎ＝２×ＳＳＣｃｅｎｔｅｒ／（１＋ＳＳＣｃｅｎｔｅｒ）の計算式を用いて前記ダウンスプレッド方式の変調度を補正するステップを含むことを特徴とする。
【００２１】
請求項１２に記載されたスペクトラム拡散クロック発生方法は、請求項１０のスペクトラム拡散クロック発生方法において、
前記ダウンスプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記ダウンスプレッド方式のキャリア周波数をＦｄｏｗｎ、変調度をＳＳＣｄｏｗｎとしたとき、Ｆｄｏｗｎ＝Ｆｕｐ×（１＋ＳＳＣｕｐ）の計算式を用いて前記ダウンスプレッド方式のキャリア周波数をずらすとともに、ＳＳＣｄｏｗｎ＝ＳＳＣｕｐ／（１＋ＳＳＣｕｐ）の計算式を用いて前記ダウンスプレッド方式の変調度を補正するステップを含むことを特徴とする。
【００２２】
請求項１３に記載されたスペクトラム拡散クロック発生方法は、請求項１０のスペクトラム拡散クロック発生方法において、
前記センタースプレッド方式から前記擬似的なアッパースプレッド方式で前記スペクトラム拡散クロック信号を発生する場合、前記擬似的なアッパースプレッド方式のキャリア周波数をＦｕｐ、変調度をＳＳＣｕｐ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｕｐ×（１＋（ＳＳＣｕｐ／２））の計算式を用いて前記センタースプレッド方式のキャリア周波数をずらすとともに、ＳＳＣｃｅｎｔｅｒ＝ＳＳＣｕｐ／（２＋ＳＳＣｕｐ）の計算式を用いて前記センタースプレッド方式の変調度を補正するステップを含むことを特徴とする。
【００２３】
請求項１４に記載されたスペクトラム拡散クロック発生方法は、請求項１０のスペクトラム拡散クロック発生方法において、
前記センタースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記センタースプレッド方式のキャリア周波数をＦｃｅｎｔｅｒ、変調度をＳＳＣｃｅｎｔｅｒとしたとき、Ｆｃｅｎｔｅｒ＝Ｆｄｏｗｎ×（１−（ＳＳＣｄｏｗｎ／２））の計算式を用いて前記センタースプレッド方式のキャリア周波数をずらすとともに、ＳＳＣｃｅｎｔｅｒ＝ＳＳＣｄｏｗｎ／（２−ＳＳＣｄｏｗｎ）の計算式を用いて前記センタースプレッド方式の変調度を補正するステップを含むことを特徴とする。
【００２４】
請求項１５に記載されたスペクトラム拡散クロック発生方法は、請求項１０のスペクトラム拡散クロック発生方法において、
前記アッパースプレッド方式から前記擬似的なダウンスプレッド方式で前記スペクトラム拡散クロック信号を発生する場合、前記擬似的なダウンスプレッド方式のキャリア周波数をＦｄｏｗｎ、変調度をＳＳＣｄｏｗｎ、前記アッパースプレッド方式のキャリア周波数をＦｕｐ、変調度をＳＳＣｕｐとしたとき、Ｆｕｐ＝Ｆｄｏｗｎ×（１−ＳＳＣｄｏｗｎ）の計算式を用いて前記アッパースプレッド方式のキャリア周波数をずらすとともに、ＳＳＣｕｐ＝ＳＳＣｄｏｗｎ／（１−ＳＳＣｄｏｗｎ）の計算式を用いて前記アッパースプレッド方式の変調度を補正するステップを含むことを特徴とする。
【００２５】
請求項１６に記載されたスペクトラム拡散クロック発生方法は、請求項１０のスペクトラム拡散クロック発生方法において、
前記アッパースプレッド方式から前記擬似的なセンタースプレッド方式で前記スペクトラム拡散クロック信号を発生する場合、前記擬似的なセンタースプレッド方式のキャリア周波数をＦｃｅｎｔｅｒ、変調度をＳＳＣｃｅｎｔｅｒ、前記アッパースプレッド方式のキャリア周波数をＦｕｐ、変調度をＳＳＣｕｐとしたとき、Ｆｕｐ＝Ｆｃｅｎｔｅｒ×（１−ＳＳＣｃｅｎｔｅｒ）の計算式を用いて前記アッパースプレッド方式のキャリア周波数をずらすとともに、ＳＳＣｕｐ＝２×ＳＳＣｃｅｎｔｅｒ／（１−ＳＳＣｃｅｎｔｅｒ）の計算式を用いて前記アッパースプレッド方式の変調度を補正するステップを含むことを特徴とする。
【００２６】
請求項１７に記載されたパターン発生器は、請求項１〜請求項８の何れかのスペクトラム拡散クロック発生器２が発生するスペクラム拡散クロック信号を用いてパターン信号を発生することを特徴とする。
【００２７】
請求項１８に記載されたパターン発生方法は、請求項９〜請求項１６のスペクトラム拡散クロック発生方法により発生したスペクラム拡散クロック信号を用いてパターン信号を発生するステップを含むことを特徴とする。
【発明の効果】
【００２８】
本発明によれば、スペクトラム拡散クロック発生器やパターン発生器で特に要求されるアッパースプレッド方式によるスペクラム拡散クロック信号の発生が可能となり、アッパースプレッド方式、ダウンスプレッド方式、センタースプレッド方式の一つのスプレッド方式から擬似的な他のスプレッド方式によるスペクラム拡散クロック信号を発生することができる。また、予め決められた計算式を用いてキャリア周波数をずらす制御と変調度の補正制御を行えば、精度の高いスペクラム拡散クロック信号を発生することができる。そして、被測定物のマージンテストを行なう場合には、アッパースプレッド方式、ダウンスプレッド方式、センタースプレッド方式の任意のスプレッド方式で発生したスペクラム拡散クロック信号により変調されたパターン信号をテスト信号として被測定物に入力してマージンテストを行なうことが可能となる。
【図面の簡単な説明】
【００２９】
【図１】本発明に係るスペクトラム拡散クロック発生器を含むパターン発生器のブロック構成図である。
【図２】図１の位相同期回路部の一例を示すブロック構成図である。
【図３】（ａ），（ｂ）ダウンスプレッド方式から擬似的なセンタースプレッド方式でスペクラム拡散クロック信号を発生する場合の説明図である。
【図４】（ａ），（ｂ）センタースプレッド方式から擬似的なアッパースプレッド方式でスペクラム拡散クロック信号を発生する場合の説明図である。
【図５】（ａ），（ｂ）センタースプレッド方式から擬似的なアッパースプレッド方式でスペクラム拡散クロック信号を発生する場合の説明図である。
【図６】（ａ），（ｂ）センタースプレッド方式から擬似的なダウンスプレッド方式でスペクラム拡散クロック信号を発生する場合の説明図である。
【図７】（ａ），（ｂ）アッパースプレッド方式から擬似的なダウンスプレッド方式でスペクラム拡散クロック信号を発生する場合の説明図である。
【図８】（ａ），（ｂ）アッパースプレッド方式から擬似的なセンタースプレッド方式でスペクラム拡散クロック信号を発生する場合の説明図である。
【図９】本発明に係るスペクトラム拡散クロック発生方法及びパターン発生方法においてキャリア周波数をずらす制御を行なう場合のフローチャートである。
【図１０】本発明に係るスペクトラム拡散クロック発生方法及びパターン発生方法においてキャリア周波数と変調度を補正制御する場合のフローチャートである。
【発明を実施するための形態】
【００３０】
以下、本発明を実施するための形態について、添付した図面を参照しながら詳細に説明する。
【００３１】
図１に示すように、本実施の形態のパターン発生器１は、スペクトラム拡散されたスペクラム拡散クロック信号を用いて所望のパターン信号を発生するものであり、スペクトラム拡散クロック発生器２、周波数てい倍部３、パターン発生部４を備えて概略構成される。
【００３２】
スペクトラム拡散クロック発生器２は、周期が微小量変動するように基準クロック信号のスペクトラムを拡散して周波数を変調したスペクラム拡散クロック信号を発生するものであり、位相同期回路部１１、設定部１２、制御部１３、記憶部１４を含んで構成される。
【００３３】
位相同期回路部１１は、図２に示すように、分周器１１ａ、位相比較器１１ｂ、チャージポンプ１１ｃ、ループフィルタ１１ｄ、変調生成部１１ｅ、加算器１１ｆ、電圧制御発振器（ＶＣＯ：Voltage-controlled oscillator ）１１ｇを備えて構成される。
【００３４】
分周器１１ａは、スペクトラム拡散されて電圧制御発振器１１ｇから出力されるスペクラム拡散クロック信号の中心周波数を基準クロック信号のてい倍関係になるように設定するもので、電圧制御発振器１１ｇが出力するスペクラム拡散クロック信号をフィードバック信号として分周し、分周したフィードバック信号の周波数と基準クロック信号の周波数とを一致させる。
【００３５】
位相比較器１１ｂは、基準クロック信号と、分周器１１ａで分周されたフィードバック信号との位相を比較し、位相差に応じたパルス幅の位相差信号を出力する。
【００３６】
チャージポンプ１１ｃは、位相比較器１１ｂから入力される位相差信号によって充電／放電電流をループフィルタ１１ｄに供給する。
【００３７】
ループフィルタ１１ｄは、チャージポンプ１１ｃから供給される電流を電圧に変換し、変換した電圧の高周波成分を除去した信号を加算器１１ｆに出力する。
【００３８】
変調生成部１１ｅは、設定部１２にて設定されたスプレッド方式、変調周波数、キャリア周波数、変調度に基づく制御部１３の制御により、周波数を変調させるための変調信号を生成し、生成した変調信号を加算器１１ｆに出力する。
【００３９】
加算器１１ｆは、ループフィルタ１１ｄから入力される信号と、変調生成部１１ｅから入力される変調信号とを加算し、この加算信号を電圧制御発振器１１ｇに出力する。
【００４０】
電圧制御発振器１１ｇは、出力（スペクラム拡散クロック信号）が位相比較器１１ｂにフィードバックされ、入力クロックとフィードバック信号が同じ周波数になるように動作し、加算器１１ｆから入力される加算信号に応じて周波数をスペクトラム拡散したスペクラム拡散クロック信号を出力する。
【００４１】
設定部１２は、所望のスペクトラム拡散が施されたスペクラム拡散クロック信号を発生するために必要な設定情報として、元となるスプレッド方式（ダウンスプレッド方式、センタースプレッド方式、アッパースプレッド方式の何れかの方式）、変調周波数（例えば３３ｋＨｚ）、元となるスプレッド方式のキャリア周波数、変調度（キャリア周波数に対する変調の割合）の設定を行なう。尚、初期時において、スプレッド方式は例えばセンタースプレッド方式に設定される。
【００４２】
制御部１３は、設定部１２にて設定された設定情報に基づき位相同期回路部１１、周波数てい倍部３、パターン発生部４を統括制御するもので、位相同期回路部制御手段１３ａ、キャリア周波数補正制御手段１３ｂ、変調度補正制御手段１３ｃ、周波数てい倍部制御手段１３ｄ、パターン発生部制御手段１３ｅを含む。すなわち、位相同期回路部制御手段１３ａは、設定部１２にて設定されたスプレッド方式、キャリア周波数、変調度に応じて基準クロック信号のスペクトラムを拡散したスペクラム拡散クロック信号を発生するように位相同期回路部１１（変調生成部１１ｅ）を制御する。
【００４３】
キャリア周波数補正制御手段１３ｂは、所望のスペクラム拡散クロック信号を出力する際に、位相同期回路部１１における変調生成部１１ｅのキャリア周波数をずらす制御や、後述する計算式を用いた位相同期回路部１１における変調生成部１１ｅのキャリア周波数をずらす制御を行なう。また、変調度補正制御手段１３ｃは、後述する計算式を用いた位相同期回路部１１における変調生成部１１ｅの変調度を補正制御する。尚、キャリア周波数をずらす制御を行なう場合、例えば１ｐｐｍステップで５０００ｐｐｍ程度である。
【００４４】
周波数てい倍部制御手段１３ｄは、位相同期回路部１１から出力されるスペクラム拡散クロック信号の周波数のｍ（ｍ：正の整数）てい倍の周波数を有するスペクラム拡散クロック信号を出力するように周波数てい倍部３を制御する。
【００４５】
パターン発生部制御手段１３ｅは、周波数てい倍部３にて周波数てい倍されたスペクラム拡散クロック信号と外部から入力されるデータとから所望の繰り返しパターンによるパターン信号を発生するようにパターン発生部４を制御する。
【００４６】
記憶部１４は、後述する位相同期回路部１１における変調生成部１１ｅのキャリア周波数をずらす制御と変調度を補正制御する際に用いられる計算式（式（１）〜（１２））を記憶する。
【００４７】
周波数てい倍部３は、制御部１３の制御により、スペクトラム拡散クロック発生器２が発生するスペクラム拡散クロック信号の周波数のｍ（ｍ：正の整数）てい倍の周波数（例えば、２０倍の周波数）を有するスペクラム拡散クロック信号を出力する。
【００４８】
パターン発生部４は、制御部１３の制御により、周波数てい倍部３にて周波数てい倍されたスペクラム拡散クロック信号と、外部から入力されるデータ（低レベル電圧：「０」と高レベル電圧：「１」のデータ）とを入力とし、データをスペクラム拡散クロック信号で変調した所望の繰り返しパターンによるパターン信号を発生する。例えば被測定物のマージンテストを行なう誤り率測定装置のパターン発生器として用いる場合、パターン発生部４は、被測定物に入力する既知パターンのパターン信号（テスト信号）として、スペクラム拡散クロック信号により変調されたＰＲＢＳ（Pseudo-random bit sequence：擬似ランダム・ビット・シーケンス）パターン、繰り返し信号としての０，１の連続パターン、任意のパターンからなるプログラマブルパターンを発生する。
【００４９】
そして、上記のように構成されるパターン発生器１のスペクトラム拡散クロック発生器２から所望のスペクラム拡散クロック信号を発生する場合には、まず、設定部１２にて元となるスプレッド方式、変調周波数、キャリア周波数、変調度を設定する。
【００５０】
制御部１３は、スプレッド方式、変調周波数、キャリア周波数、変調度が設定されると、一つのスプレッド方式から擬似的な他のスプレッド方式のスペクトラム拡散クロック信号を発生するためにキャリア周波数をずらす制御を行なう。すなわち、図９に示すように、スプレッド方式を判別し（ＳＴ１）、ダウンスプレッド方式から擬似的なセンタースプレッド方式でスペクラム拡散クロック信号を発生する場合（ＳＴ２）、ダウンスプレッド方式から擬似的なアッパースプレッド方式でスペクラム拡散クロック信号を発生する場合（ＳＴ３）、センタースプレッド方式から擬似的なアッパースプレッド方式でスペクラム拡散クロック信号を発生する場合（ＳＴ４）の何れかの場合、元となるスプレッド方式のキャリア周波数よりも低い周波数側にキャリア周波数をずらす第１の制御を行なう（ＳＴ５）。
【００５１】
これに対し、制御部１３は、センタースプレッド方式から擬似的なダウンスプレッド方式でスペクラム拡散クロック信号を発生する場合（ＳＴ６）、アッパースプレッド方式から擬似的なダウンスプレッド方式でスペクラム拡散クロック信号を発生する場合（ＳＴ７）、アッパースプレッド方式から擬似的なセンタースプレッド方式でスペクラム拡散クロック信号を発生する場合（ＳＴ８）の何れかの場合、元となるスプレッド方式のキャリア周波数よりも高い周波数側にキャリア周波数をずらす第２の制御を行なう（ＳＴ９）。尚、キャリア周波数をずらす制御は、後述する計算式：式（１），（３），（５），（７），（９），（１１）を用いて行なうことができる。なお、前述の第１の制御（ＳＴ５）と、第２の制御（ＳＴ９）は、少なくとも一方を行なう動作としてもよい。
【００５２】
これにより、一つのスプレッド方式から擬似的な他のスプレッド方式により変調されたスペクラム拡散クロック信号が位相同期回路部１１から出力される。そして、パターン発生器１は、位相同期回路部１１から出力されるスペクラム拡散クロック信号（周波数てい倍されたスペクラム拡散クロック信号）と、低レベル電圧：「０」と高レベル電圧：「１」のデータとに基づいて所望の繰り返しパターンによるパターン信号を発生する（ＳＴ１０）。
【００５３】
ところで、ダウンスプレッド方式又はセンタースプレッド方式から擬似的なアッパースプレッド方式のスペクラム拡散クロック信号を発生する場合、上述したように元となるスプレッド方式のキャリア周波数よりも低い周波数側にキャリア周波数をずらす第１の制御により擬似的なアッパースプレッド方式のスペクラム拡散クロック信号を発生することが可能となる。しかしながら、キャリア周波数を変化させると、これに伴って変調度も変化するという問題がある。特に、キャリア周波数の変化量が大きいと、スペクトラム拡散の変調度も大きくなってしまうという問題が生じる。さらに説明すると、変調度は簡単に言えばキャリア周波数×周波数偏移であるため、キャリア周波数が大きく変化すると変調度が過剰になってしまう。誤り率測定装置の周波数精度が±１ｐｐｍの場合、例えばアッパースプレッド方式により変調度０．００６（６０００ｐｐｍ）でスペクラム拡散クロック信号を発生したときに、９ｐｐｍのずれが生じると、内部クロックの±１ｐｐｍ精度が失われてしまうという問題が生じる。
【００５４】
そこで、本実施の形態では、上述したキャリア周波数の変化量が大きいときの問題を解消するため、一つのスプレッド方式から擬似的な他のスプレッド方式でスペクラム拡散クロック信号を発生する際に、図１０に示すように、元となるスプレッド方式を判別し（ＳＴ２１）、以下に説明する計算式を用いてスペクトラム拡散クロック発生器２の位相同期回路部１１における変調生成部１１ｅのキャリア周波数をずらす制御と変調度を補正する制御とを制御部１３が実行する。
【００５５】
（１）図３（ｂ）のダウンスプレッド方式から図３（ａ）の擬似的なセンタースプレッド方式でスペクラム拡散クロック信号を発生する場合（ＳＴ２２）
【００５６】
ダウンスプレッド方式のキャリア周波数をＦｄｏｗｎ、変調度をＳＳＣｄｏｗｎとし、擬似的なセンタースプレッド方式のキャリア周波数をＦｃｅｎｔｅｒ、変調度をＳＳＣｃｅｎｔｅｒとすると、下記式（１）と式（２）を導き出すことができる。尚、下記式（１）と式（２）は予め記憶部１４に記憶しておくことができる。
【００５７】
Ｆｄｏｗｎ＝Ｆｃｅｎｔｅｒ×（１＋ＳＳＣｃｅｎｔｅｒ）…式（１）
ＳＳＣｄｏｗｎ＝２×ＳＳＣｃｅｎｔｅｒ／（１＋ＳＳＣｃｅｎｔｅｒ）…式（２）
【００５８】
スペクトラム拡散クロック発生器２の制御部１３は、上記式（１）から得られるキャリア周波数Ｆｄｏｗｎになるように変調生成部１１ｅのキャリア周波数をずらす制御を行なうとともに、式（２）から得られる変調度ＳＳＣｄｏｗｎになるように変調生成部１１ｅの変調度を補正制御する（ＳＴ２３）。これにより、ダウンスプレッド方式から擬似的なセンタースプレッド方式により正確な変調度でスペクトラム拡散されたスペクラム拡散クロック信号を発生することができる。
【００５９】
（２）図４（ｂ）のダウンスプレッド方式から図４（ａ）の擬似的なアッパースプレッド方式でスペクラム拡散クロック信号を発生する場合（ＳＴ２４）
【００６０】
ダウンスプレッド方式のキャリア周波数をＦｄｏｗｎ、変調度をＳＳＣｄｏｗｎとし、擬似的なアッパースプレッド方式のキャリア周波数をＦｕｐ、変調度をＳＳＣｕｐとすると、下記式（３）と式（４）を導き出すことができる。尚、下記式（３）と式（４）は予め記憶部１４に記憶しておくことができる。
【００６１】
Ｆｄｏｗｎ＝Ｆｕｐ×（１＋ＳＳＣｕｐ）…式（３）
ＳＳＣｄｏｗｎ＝ＳＳＣｕｐ／（１＋ＳＳＣｕｐ）…式（４）
【００６２】
スペクトラム拡散クロック発生器２の制御部１３は、上記式（３）から得られるキャリア周波数Ｆｄｏｗｎになるように変調生成部１１ｅのキャリア周波数をずらす制御を行なうとともに、式（４）から得られる変調度ＳＳＣｄｏｗｎになるように変調生成部１１ｅの変調度を補正制御する（ＳＴ２５）。これにより、ダウンスプレッド方式から擬似的なアッパースプレッド方式により正確な変調度でスペクトラム拡散されたスペクラム拡散クロック信号を発生することができる。
【００６３】
（３）図５（ｂ）のセンタースプレッド方式から図５（ａ）の擬似的なアッパースプレッド方式でスペクラム拡散クロック信号を発生する場合（ＳＴ２６）
【００６４】
センタースプレッド方式のキャリア周波数をＦｃｅｎｔｅｒ、変調度をＳＳＣｃｅｎｔｅｒとし、擬似的なアッパースプレッド方式のキャリア周波数をＦｕｐ、変調度をＳＳＣｕｐとすると、下記式（５）と式（６）を導き出すことができる。尚、下記式（５）と式（６）は予め記憶部１４に記憶しておくことができる。
【００６５】
Ｆｃｅｎｔｅｒ＝Ｆｕｐ×（１＋（ＳＳＣｕｐ／２））…式（５）
ＳＳＣｃｅｎｔｅｒ＝ＳＳＣｕｐ／（２＋ＳＳＣｕｐ）…式（６）
【００６６】
スペクトラム拡散クロック発生器２の制御部１３は、上記式（５）から得られるキャリア周波数Ｆｃｅｎｔｅｒになるように変調生成部１１ｅのキャリア周波数をずらす制御を行なうとともに、式（６）から得られる変調度ＳＳＣｃｅｎｔｅｒになるように変調生成部１１ｅの変調度を補正制御する（ＳＴ２７）。これにより、センタースプレッド方式から擬似的なアッパースプレッド方式により正確な変調度でスペクトラム拡散されたスペクラム拡散クロック信号を発生することができる。
【００６７】
（４）図６（ｂ）のセンタースプレッド方式から図６（ａ）の擬似的なダウンスプレッド方式でスペクラム拡散クロック信号を発生する場合（ＳＴ２８）
【００６８】
センタースプレッド方式のキャリア周波数をＦｃｅｎｔｅｒ、変調度をＳＳＣｃｅｎｔｅｒとし、擬似的なダウンスプレッド方式のキャリア周波数をＦｄｏｗｎ、変調度をＳＳＣｄｏｗｎとすると、下記式（７）と式（８）を導き出すことができる。尚、下記式（７）と式（８）は予め記憶部１４に記憶しておくことができる。
【００６９】
Ｆｃｅｎｔｅｒ＝Ｆｄｏｗｎ×（１−（ＳＳＣｄｏｗｎ／２））…式（７）
ＳＳＣｃｅｎｔｅｒ＝ＳＳＣｄｏｗｎ／（２−ＳＳＣｄｏｗｎ）…式（８）
【００７０】
スペクトラム拡散クロック発生器２の制御部１３は、上記式（７）から得られるキャリア周波数Ｆｃｅｎｔｅｒになるように変調生成部１１ｅのキャリア周波数をずらす制御を行なうとともに、式（８）から得られる変調度ＳＳＣｃｅｎｔｅｒになるように変調生成部１１ｅの変調度を補正制御する（ＳＴ２９）。これにより、センタースプレッド方式から擬似的なダウンスプレッド方式により正確な変調度でスペクトラム拡散されたスペクラム拡散クロック信号を発生することができる。
【００７１】
（５）図７（ｂ）のアッパースプレッド方式から図７（ａ）の擬似的なダウンスプレッド方式でスペクラム拡散クロック信号を発生する場合（ＳＴ３０）
【００７２】
アッパースプレッド方式のキャリア周波数をＦｕｐ、変調度をＳＳＣｕｐとし、擬似的なダウンスプレッド方式のキャリア周波数をＦｄｏｗｎ、変調度をＳＳＣｄｏｗｎとすると、下記式（９）と式（１０）を導き出すことができる。尚、下記式（９）と式（１０）は予め記憶部１４に記憶しておくことができる。
【００７３】
Ｆｕｐ＝Ｆｄｏｗｎ×（１−ＳＳＣｄｏｗｎ）…式（９）
ＳＳＣｕｐ＝ＳＳＣｄｏｗｎ／（１−ＳＳＣｄｏｗｎ）…式（１０）
【００７４】
スペクトラム拡散クロック発生器２の制御部１３は、上記式（９）から得られるキャリア周波数Ｆｕｐになるように変調生成部１１ｅのキャリア周波数をずらす制御を行なうとともに、式（１０）から得られる変調度ＳＳＣｕｐになるように変調生成部１１ｅの変調度を補正制御する（ＳＴ３１）。これにより、アッパースプレッド方式から擬似的なダウンスプレッド方式により正確な変調度でスペクトラム拡散されたスペクラム拡散クロック信号を発生することができる。
【００７５】
（６）図８（ｂ）のアッパースプレッド方式から図８（ａ）の擬似的なセンタースプレッド方式でスペクラム拡散クロック信号を発生する場合（ＳＴ３２）
【００７６】
アッパースプレッド方式のキャリア周波数をＦｕｐ、変調度をＳＳＣｕｐとし、擬似的なセンタースプレッド方式のキャリア周波数をＦｃｅｎｔｅｒ、変調度をＳＳＣｃｅｎｔｅｒとすると、下記式（１１）と式（１２）を導き出すことができる。尚、下記式（１１）と式（１２）は予め記憶部１４に記憶しておくことができる。
【００７７】
Ｆｕｐ＝Ｆｃｅｎｔｅｒ×（１−ＳＳＣｃｅｎｔｅｒ）…式（１１）
ＳＳＣｕｐ＝２×ＳＳＣｃｅｎｔｅｒ／（１−ＳＳＣｃｅｎｔｅｒ）…式（１２）
【００７８】
スペクトラム拡散クロック発生器２の制御部１３は、上記式（１１）から得られるキャリア周波数Ｆｕｐになるように変調生成部１１ｅのキャリア周波数をずらす制御を行なうとともに、式（１２）から得られる変調度ＳＳＣｕｐになるように変調生成部１１ｅの変調度を補正制御する（ＳＴ３３）。これにより、アッパースプレッド方式から擬似的なセンタースプレッド方式により正確な変調度でスペクトラム拡散されたスペクラム拡散クロック信号を発生することができる。
【００７９】
そして、パターン発生器１は、上述した補正制御により位相同期回路部１１から出力されるスペクラム拡散クロック信号（周波数てい倍されたスペクラム拡散クロック信号）と、低レベル電圧：「０」と高レベル電圧：「１」のデータとに基づいて所望の繰り返しパターンによるパターン信号を発生する（ＳＴ３４）。
【００８０】
［具体例］
以下、スペクトラム拡散クロック発生器２の制御部１３が上述した計算式に基づいて位相同期回路部１１における変調生成部１１ｅのキャリア周波数をずらす制御と変調度を補正制御する場合の具体例について説明する。ここでは、（１）ダウンスプレッド方式から擬似的なセンタースプレッド方式でスペクラム拡散クロック信号を発生する場合を例にとって説明する。
【００８１】
制御部１３は、利用者が設定部１２にてキャリア周波数Ｆｃｅｎｔｅｒ＝１００ＭＨｚ、変調度ＳＳＣｃｅｎｔｅｒ＝０．００６（０．６％）などの必要な設定情報を設定すると、式（１）を用いてダウンスプレッド方式のキャリア周波数Ｆｄｏｗｎ＝１００×（１＋０．００６）＝１００．６ＭＨｚを算出し、算出したキャリア周波数Ｆｄｏｗｎ＝１００．６ＭＨｚになるように変調生成部１１ｅのキャリア周波数をずらす制御を行なう。
【００８２】
また、制御部１３は、式（２）を用いてダウンスプレッド方式の変調度ＳＳＣｄｏｗｎ＝２×ＳＳＣｃｅｎｔｅｒ／（１＋ＳＳＣｃｅｎｔｅｒ）＝（２×０．００６）／（１＋０．００６）＝０．０１２／１．００６＝０．０１１９２８（１．１９２８％）を算出し、算出した変調度ＳＳＣｄｏｗｎ＝０．０１２になるように変調生成部１１ｅの変調度を補正制御する。これにより、スプレッド方式、キャリア周波数、変調度を含む必要な設定情報の設定を行えば、元となるスプレッド方式のキャリア周波数をずらす制御と変調度の補正を行って利用者が所望するスプレッド方式のスペクラム拡散クロック信号を発生することができる。
【００８３】
このように、本実施の形態によれば、スペクトラム拡散クロック発生器やパターン発生器で特に要求されるアッパースプレッド方式によるスペクラム拡散クロック信号の発生が可能となり、アッパースプレッド方式、ダウンスプレッド方式、センタースプレッド方式の一つのスプレッド方式から擬似的な他のスプレッド方式によるスペクラム拡散クロック信号を発生することができる。特に、デバイスの制限でアッパースプレッド方式によるスペクラム拡散クロック信号が発生できない場合、キャリア周波数を元となるスプレッド方式（ダウンスプレッド方式又はセンタースプレッド方式）のキャリア周波数よりも低い周波数側にずらす。これにより、従来の市販のワンチップＰＬＬＩＣでは困難であったアッパースプレッド方式によるスペクラム拡散クロック信号の発生が可能になる。
【００８４】
また、本実施の形態によれば、予め決められたスプレッド方式毎の計算式を用いてキャリア周波数をずらす制御と変調度の補正制御を行えば、上述したキャリア周波数を元となるスプレッド方式のキャリア周波数よりも高い周波数側にずらしたときを含め、前述したキャリア周波数の変化量が大きいときの問題を解消して精度の高いスペクラム拡散クロック信号を所望のスプレッド方式で発生することができる。
【００８５】
しかも、スペクトラム拡散クロック発生器としてスプレッド方式が例えばセンタースプレッド方式のみに対応している場合であっても、スプレッド方式、キャリア周波数、変調度を含むスペクラム拡散クロック信号の発生に必要な設定情報の設定が行えれば、予め決められたスプレッド方式毎の計算式を用いたキャリア周波数をずらす制御と変調度の補正制御を行なうことにより、対応していないダウンスプレッド方式やアッパースプレッド方式のスペクラム拡散クロック信号を発生することができる。尚、このことは他のスプレッド方式（ダウンスプレッド方式、アッパースプレッド方式）のみに対応したスペクトラム拡散クロック発生器においても同様である。
【００８６】
さらに、本実施の形態によれば、上述したスペクトラム拡散クロック発生器２にて一つのスプレッド方式から擬似的な他のスプレッド方式で発生したスペクラム拡散クロック信号にて変調された所望の繰り返しパターンによるパターン信号をパターン発生器１から発生することができる。そして、この発生したパターン信号は、例えば誤り測定装置によって被測定物のマージンテストを行なう場合のテスト信号として被測定物に入力することができる。
【００８７】
以上、本発明に係るスペクトラム拡散クロック発生器及びスペクトラム拡散クロック発生方法とパターン発生器及びパターン発生方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００８８】
１  パターン発生器
２  スペクトラム拡散クロック発生器
３  周波数てい倍部
４  パターン発生部
１１  位相同期回路部
１１ａ  分周器
１１ｂ  位相比較器
１１ｃ  チャージポンプ
１１ｄ  ループフィルタ
１１ｅ  変調生成部
１１ｆ  加算器
１１ｇ  電圧制御発振器
１２  設定部
１３  制御部
１４  記憶部
【図１】
2018156647.tif 000003
【図２】
2018156647.tif 000004
【図３】
2018156647.tif 000005
【図４】
2018156647.tif 000006
【図５】
2018156647.tif 000007
【図６】
2018156647.tif 000008
【図７】
2018156647.tif 000009
【図８】
2018156647.tif 000010
【図９】
2018156647.tif 000011
【図１０】
2018156647.tif 000012